(57)【要約】【課題】  コンクリートの充填度合いに懸念がなく、また、化学物質等の使用を不要とする鉄筋コンクリート梁の貫通孔補強構造を提供する。【解決手段】  鉄筋コンクリート梁１の貫通孔１ｄが設けられた箇所の長手方向の両側で、前記鉄筋コンクリート梁１の両側面に沿ってそれぞれ上下に延びる合計４本の緊張材５を設ける。これら緊張材５を、鉄筋コンクリート梁１の上面および下面に配置された緊張力受け部材３，４間に渡して緊張状態に設ける。【選択図】        図１
2007315005.tif 000002
【特許請求の範囲】
【請求項１】
鉄筋コンクリート梁の貫通孔が設けられた箇所の長手方向の両側で、前記鉄筋コンクリート梁の両側面に沿ってそれぞれ上下に延びる合計４本の緊張材を設け、これら緊張材を、鉄筋コンクリート梁の上面および下面に配置された緊張力受け部材間に渡して緊張状態に設けた鉄筋コンクリート梁の貫通孔補強構造。
【請求項２】
請求項１において、前記緊張力受け部材が、鉄筋コンクリート梁の上面に構築された床スラブの上面に配置した鉄板、および鉄筋コンクリート梁の下面に設けられた鉄板であり、前記４本の緊張材を、前記上下の鉄板に設けられた孔に挿通し、これら４本の緊張材をボルトとして前記鉄板にナットで止め付けた鉄筋コンクリート梁の貫通孔補強構造。
【請求項３】
請求項１において、前記鉄筋コンクリート梁の上面に配置された緊張力受け部材が、鉄筋コンクリート梁の上面に構築された床スラブの上面に配置した鉄板、またはコーナブロック、またはこれら鉄板およびコーナブロックの両方であり、前記鉄筋コンクリート梁の下面に配置された緊張力受け部材が、個々の緊張材毎に設けたコーナブロックであって、隣合うこれら下側のコーナブロックを相互に連結する連結材を設けた鉄筋コンクリート梁の貫通孔補強構造。
【請求項４】
鉄筋コンクリート梁の貫通孔が設けられた箇所の長手方向の両側で、鉄筋コンクリート梁の両側面に、鉄筋コンクリート梁の側面と下面の角に係合する下側コーナブロック、および鉄筋コンクリート梁の側面の上部に接する上側コーナブロックをそれぞれ設け、各上側コーナブロックと下側コーナブロックとを緊張状態に連結する緊張材と、鉄筋コンクリート梁の長手方向に並ぶ上側コーナブロック同士、および下側コーナブロック同士をそれぞれ連結する上下の梁側面連結材と、鉄筋コンクリート梁の両側面の下側コーナブロック同士を連結する梁下面連結材と、鉄筋コンクリート梁を貫通して鉄筋コンクリート梁の両側面の上側コーナブロック同士を連結する梁上部連結材とを設けた鉄筋コンクリート梁の貫通孔補強構造。
【請求項５】
請求項４において、前記貫通孔内に嵌合する鋼管を設け、鉄筋コンクリート梁の両側面に、各コーナブロックと鋼管とを連結するターンバックルを設けた鉄筋コンクリート梁の貫通孔補強構造。
【請求項６】
請求項４において、前記貫通孔の両側の開口縁に沿う鋼製リングを設け、鉄筋コンクリート梁の両側面に、各コーナブロックと鋼製リングとを連結するターンバックルを設けた鉄筋コンクリート梁の貫通孔補強構造。
【請求項７】
鉄筋コンクリート梁の両側面において、鉄筋コンクリート梁に貫通孔が設けられた箇所の上下の鉄筋コンクリート梁長手方向の両側に、ブロックをそれぞれ設け、各鉄筋コンクリート梁の側面で隣合うブロック同士を連結する緊張材を設け、かつ鉄筋コンクリート梁の幅方向に隣合うブロック同士を連結する連結材を設けた鉄筋コンクリート梁の貫通孔補強構造。
【請求項８】
鉄筋コンクリート梁の貫通孔が設けられた箇所の長手方向の両側で、前記鉄筋コンクリート梁の両側面に沿ってそれぞれ上下に延びる合計４本の緊張材を設け、これら緊張材を、鉄筋コンクリート梁の上面に構築された床スラブの上面に配置した鉄板、および鉄筋コンクリート梁の両側面下端近傍に配置したブロック間に渡して緊張状態に設け、鉄筋コンクリート梁の長手方向に沿って隣合うブロックは鉄筋コンクリート梁の側面に沿った連結材で相互に連結し、鉄筋コンクリート梁の幅方向に隣合うブロックは鉄筋コンクリート梁を幅方向に貫通する連結材で相互に連結し、この鉄筋コンクリート梁の長手方向および幅方向の隣合うブロックの連結材による連結関係を、貫通孔が設けられた箇所を挟んで鉄筋コンクリート梁の長手方向に複数繰返すよう設けた鉄筋コンクリート梁の貫通孔補強構造。
【発明の詳細な説明】
【技術分野】
【０００１】
この発明は鉄筋コンクリート梁の貫通孔補強構造に関し、更に詳しくは、配管用などの貫通孔を有する鉄筋コンクリート梁の貫通孔部分の補強構造に関する。
【背景技術】
【０００２】
通常の鉄筋コンクリート梁の場合、あばら筋とコンクリートによって構成されるトラス機構によって、せん断力に抵抗する耐力が付与される。その鉄筋コンクリート梁内に貫通孔を開けると、トラス機構が孔の部分で途切れてしまい、これが力学的な問題となる。
（１）鉄筋コンクリート梁を備えた建築物において、配管用などの貫通孔が鉄筋コンクリート梁に存在すると、梁の断面欠損となるため、せん断補強筋をひし形（孔を囲むように斜め４５°方向）に入れたり、円形に成形したせん断補強筋を入れると言った特殊な補強が行われている。（２）また、竣工後の鉄筋コンクリート梁を備えた建築物においても、配管工事の際に誤って必要以上の鉄筋を切断してしまったりすると、耐力が足りなくなり、補強が必要となる。この場合の補強は、鋼板や繊維シートを貼り付けることによって行うのが一般的である。
【特許文献１】特開２００４−２９３１８１号公報
【発明の開示】
【発明が解決しようとする課題】
【０００３】
上記（１）の場合は、せん断補強筋を入れた部分の配筋がかなり密になることから、コンクリートが確実に充填されたかどうか不安が残る。確実に充填するには、実際に施工を行う職人の技能や経験などの不確定要素に大きく委ねられる。また、貫通孔からの被り厚さの確保も難しいことも考えられる。（２）の場合は、特に繊維シートで補強する場合、接着剤が必要不可欠であるが、接着剤によっては人体への影響が懸念されるものがあり、その使用は差し控えることが望ましい。また、接着剤を用いて施工すると、解体時に再利用不可の産業廃棄物となるため、地球環境保全の意味から好ましいことではない。
【０００４】
この発明の目的は、コンクリートの充填度合いに懸念がなく、また、化学物質等の使用を不要とする鉄筋コンクリート梁の貫通孔補強構造を提供することである。
【課題を解決するための手段】
【０００５】
第１の発明に係る鉄筋コンクリート梁の貫通孔補強構造は、鉄筋コンクリート梁の貫通孔が設けられた箇所の長手方向の両側で、前記鉄筋コンクリート梁の両側面に沿ってそれぞれ上下に延びる合計４本の緊張材を設け、これら緊張材を、鉄筋コンクリート梁の上面および下面に配置された緊張力受け部材間に渡して緊張状態に設けたことを特徴とする。  この構成によると、鉄筋コンクリート梁の上面および下面に配置された緊張力受け部材を介して梁材からのせん断力が、これら緊張力受け部材に渡された緊張材を伝わり、その応力が貫通孔部分を越え、再び梁材に流れることになり、これにより、梁材のせん断、および曲げ耐力の増加が図られる。
【０００６】
この発明において、前記緊張力受け部材が、鉄筋コンクリート梁の上面に構築された床スラブの上面に配置した鉄板、および鉄筋コンクリート梁の下面に設けられた鉄板であり、前記４本の緊張材を、前記上下の鉄板に設けられた孔に挿通し、これら４本の緊張材をボルトとして前記鉄板にナットで止め付けた構造としても良い。
この構成によると、梁下端および床スラブ上に配置した鉄板を介して、梁材からのせん断力が緊張材としてのボルトを伝わり、その応力が貫通孔部分を越え、再び梁材に流れる。緊張材としてのボルトは、ナットで鉄板に止め付けられるから、締め付け具合の調整が容易になされる。
【０００７】
また、この発明において、前記鉄筋コンクリート梁の上面に配置された緊張力受け部材が、鉄筋コンクリート梁の上面に構築された床スラブの上面に配置した鉄板、またはコーナブロック、またはこれら鉄板およびコーナブロックの両方であり、前記鉄筋コンクリート梁の下面に配置された緊張力受け部材が、個々の緊張材毎に設けたコーナブロックであって、隣合うこれら下側のコーナブロックを相互に連結する連結材を設けた構造としても良い。
この構成によると、梁材の長手方向一方側からせん断力が入ると、梁材からのせん断力が梁下面のコーナブロックを介し一方側の緊張材に伝達される。その応力は、連結材および床スラブ上の鉄板またはコーナブロックによって貫通孔部分を越え、梁下面の他方側コーナブロックを介して他方側緊張材および梁材の他方側へと伝達される。この場合、鉄筋コンクリート梁の下面において、緊張材毎に設けたコーナブロックを連結材によって相互に連結するようにしているから、梁下面での施工作業に左程の手間がかからない。
【０００８】
第２の発明に係る鉄筋コンクリート梁の貫通孔補強構造は、鉄筋コンクリート梁の貫通孔が設けられた箇所の長手方向の両側で、鉄筋コンクリート梁の両側面に、鉄筋コンクリート梁の側面と下面の角に係合する下側コーナブロック、および鉄筋コンクリート梁の側面の上部に接する上側コーナブロックをそれぞれ設け、各上側コーナブロックと下側コーナブロックとを緊張状態に連結する緊張材と、鉄筋コンクリート梁の長手方向に並ぶ上側コーナブロック同士、および下側コーナブロック同士をそれぞれ連結する上下の梁側面連結材と、鉄筋コンクリート梁の両側面の下側コーナブロック同士を連結する梁下面連結材と、鉄筋コンクリート梁を貫通して鉄筋コンクリート梁の両側面の上側コーナブロック同士を連結する梁上部連結材とを設けたことを特徴とする。
この構成によると、鉄筋コンクリート梁の長手方向に並ぶ上側コーナブロック同士を連結する上側梁側面連結材と、鉄筋コンクリート梁を貫通して鉄筋コンクリート梁の両側面の上側コーナブロック同士を連結する梁上部連結材とが、上記スラブ上面の鉄板に代る機能を奏する。この鉄筋コンクリート梁を貫通して鉄筋コンクリート梁の両側面の上側コーナブロック同士を連結する梁上部連結材は、梁に緊張力を付与し、その摩擦力によって各上側コーナブロックと下側コーナブロックとを緊張状態に連結する緊張材にせん断力を伝達する。この場合、床スラブ上での施工作業が不要とされるから、施工作業の効率化が図られる。
【０００９】
第２の発明において、前記貫通孔内に嵌合する鋼管を設け、鉄筋コンクリート梁の両側面に、各コーナブロックと鋼管とを連結するターンバックルを設けたものとしても良い。  この構成は、より強いトラス機構が求められる場合、あるいは、鉄筋コンクリート梁の梁成に対して大径の貫通孔を設ける必要がある場合に好ましく適用される。この構成によれば、貫通孔に鋼管を挿入し、鋼管の両端とコーナブロックとをターンバックルで連結することにより、斜め方向にも緊張力を付与することができ、せん断力の伝達が図られ、耐力がより強化され、あるいは、大径の貫通孔を設けたことによる耐力の低下を防止することができる。
【００１０】
第２の発明において、前記貫通孔の両側の開口縁に沿う鋼製リングを設け、鉄筋コンクリート梁の両側面に、各コーナブロックと鋼製リングとを連結するターンバックルを設けたものとしても良い。
この構成も、より強いトラス機構が求められる場合、あるいは、鉄筋コンクリート梁の梁成に対して大径の貫通孔を設ける必要がある場合に好ましく適用されるものであるが、貫通孔に適合した鋼管が準備できない場合等に採用される。この構成によれば、上記同様斜め方向にも緊張力を付与することができ、せん断力の伝達が図られ、耐力がより強化され、あるいは大径の貫通孔を設けたことによる耐力の低下を防止することができる。この場合、鋼製リングにはターンバックルを直接引っ掛けることができるので、鋼管の場合のように引っ掛けるための孔等を特に設ける必要がない。
【００１１】
第３の発明に係る鉄筋コンクリート梁の貫通孔補強構造は、鉄筋コンクリート梁の両側面において、鉄筋コンクリート梁に貫通孔が設けられた箇所の上下の鉄筋コンクリート梁長手方向の両側に、ブロックをそれぞれ設け、各鉄筋コンクリート梁の側面で隣合うブロック同士を連結する緊張材を設け、かつ鉄筋コンクリート梁の幅方向に隣合うブロック同士を連結する連結材を設けたことを特徴とする。
この構成によれば、上記同様せん断力の伝達により梁の耐力強化がなされることに加え、貫通孔からのひび割れの防止がなされる。すなわち、各鉄筋コンクリート梁の側面で隣合うブロック同士を連結する緊張材により、貫通孔が取囲まれるようになり、この緊張材の圧縮力がひび割れを閉じる方向に働くことにより、ひび割れの進行が阻止される。
【００１２】
第４の発明に係る鉄筋コンクリート梁の貫通孔補強構造は、鉄筋コンクリート梁の貫通孔が設けられた箇所の長手方向の両側で、前記鉄筋コンクリート梁の両側面に沿ってそれぞれ上下に延びる合計４本の緊張材を設け、これら緊張材を、鉄筋コンクリート梁の上面に構築された床スラブの上面に配置した鉄板、および鉄筋コンクリート梁の両側面下端近傍に配置したブロック間に渡して緊張状態に設け、鉄筋コンクリート梁の長手方向に沿って隣合うブロックは鉄筋コンクリート梁の側面に沿った連結材で相互に連結し、鉄筋コンクリート梁の幅方向に隣合うブロックは鉄筋コンクリート梁を幅方向に貫通する連結材で相互に連結し、この鉄筋コンクリート梁の長手方向および幅方向の隣合うブロックの連結材による連結関係を、貫通孔が設けられた箇所を挟んで鉄筋コンクリート梁の長手方向に複数繰返すよう設けたことを特徴とする。
この構成によると、貫通孔が設けられた箇所は、床スラブ上面の鉄板、４本の緊張材、ブロックを介した連結材によって囲まれ、梁材からのせん断力が鉄筋コンクリート梁の長手方向に沿って伝達され、上記と同様に貫通孔が補強される。加えて、鉄筋コンクリート梁の下端近傍において、その長手方向および幅方向の隣合うブロックの連結材による連結関係を、貫通孔が設けられた箇所を挟んで鉄筋コンクリート梁の長手方向に複数繰返すよう設けたことにより、鉄筋コンクリート梁の曲げ強度が強化され、撓みの改善もなされる。
【発明の効果】
【００１３】
第１の発明に係る鉄筋コンクリート梁の貫通孔補強構造は、鉄筋コンクリート梁の貫通孔が設けられた箇所の長手方向の両側で、前記鉄筋コンクリート梁の両側面に沿ってそれぞれ上下に延びる合計４本の緊張材を設け、これら緊張材を、鉄筋コンクリート梁の上面および下面に配置された緊張力受け部材間に渡して緊張状態に設けたため、梁の施工時において、貫通孔部分の配筋を特に密にする必要がないから、この部分のコンクリートの充填度合いに対する懸念が払拭される。また、竣工後に貫通孔を形成する場合、これを強化するために接着剤を使用することがないので、シックハウスや化学物質に対する配慮が不要とされる。さらに、解体しても補強部分は再利用が可能であるから、地球環境保全の観点にも沿うことになる。また、貫通孔からのひび割れが発生しても、緊張材の緊張力を高めることによりこれを補うことができ、加えて、コンクリートに拘束効果をもたらし、コンクリート自身の耐力増加も期待される。
【００１４】
第２の発明に係る鉄筋コンクリート梁の貫通孔補強構造は、鉄筋コンクリート梁の貫通孔が設けられた箇所の長手方向の両側で、鉄筋コンクリート梁の両側面に、鉄筋コンクリート梁の側面と下面の角に係合する下側コーナブロック、および鉄筋コンクリート梁の側面の上部に接する上側コーナブロックをそれぞれ設け、各上側コーナブロックと下側コーナブロックとを緊張状態に連結する緊張材と、鉄筋コンクリート梁の長手方向に並ぶ上側コーナブロック同士、および下側コーナブロック同士をそれぞれ連結する上下の梁側面連結材と、鉄筋コンクリート梁の両側面の下側コーナブロック同士を連結する梁下面連結材と、鉄筋コンクリート梁を貫通して鉄筋コンクリート梁の両側面の上側コーナブロック同士を連結する梁上部連結材とを設けたため、上記効果に加え、床スラブ上での施工作業が不要とされるから、上下階両方での同時作業がなく、施工作業の効率化が図られる。
【００１５】
第３の発明に係る鉄筋コンクリート梁の貫通孔補強構造は、鉄筋コンクリート梁の両側面において、鉄筋コンクリート梁に貫通孔が設けられた箇所の上下の鉄筋コンクリート梁長手方向の両側に、ブロックをそれぞれ設け、各鉄筋コンクリート梁の側面で隣合うブロック同士を連結する緊張材を設け、かつ鉄筋コンクリート梁の幅方向に隣合うブロック同士を連結する連結材を設けたため、上記同様の貫通孔の補強効果に加え、貫通孔からのひび割れ発生防止がより効果的になされる。
【００１６】
第４の発明に係る鉄筋コンクリート梁の貫通孔補強構造は、鉄筋コンクリート梁の貫通孔が設けられた箇所の長手方向の両側で、前記鉄筋コンクリート梁の両側面に沿ってそれぞれ上下に延びる合計４本の緊張材を設け、これら緊張材を、鉄筋コンクリート梁の上面に構築された床スラブの上面に配置した鉄板、および鉄筋コンクリート梁の両側面下端近傍に配置したブロック間に渡して緊張状態に設け、鉄筋コンクリート梁の長手方向に沿って隣合うブロックは鉄筋コンクリート梁の側面に沿った連結材で相互に連結し、鉄筋コンクリート梁の幅方向に隣合うブロックは鉄筋コンクリート梁を幅方向に貫通する連結材で相互に連結し、この鉄筋コンクリート梁の長手方向および幅方向の隣合うブロックの連結材による連結関係を貫通孔が設けられた箇所を挟んで鉄筋コンクリート梁の長手方向に複数繰返すよう設けたため、上記同様の貫通孔の補強効果に加え、鉄筋コンクリート梁の曲げ強度および撓みの改善に寄与する。
【発明を実施するための最良の形態】
【００１７】
この発明の第１の発明に係る鉄筋コンクリート梁の貫通孔補強構造の一実施形態を図１および図２と共に説明する。図に示す鉄筋コンクリート梁１は、コンクリート母材１ａに、長手方向に沿った主筋１ｂと、これに交差し鉄筋コンクリート梁１の長手方向に沿って繰返し配設されるあばら筋１ｃとによる配筋構造の鉄筋を埋入してトラス機構に構成されたものであるが、配筋構造は図例に限定されるものではない。この鉄筋コンクリート梁１の適所には、その幅方向に貫通する配管用などの貫通孔１ｄが設けられている。また、鉄筋コンクリート梁１の上面には床スラブ２が構築されている。上記貫通孔１ｄが設けられた箇所の床スラブ２の上面および鉄筋コンクリート梁１の下面には、緊張力受け部材としての鉄板３，４が配される。両鉄板３，４間に、緊張材としての４本のボルト５を、鉄筋コンクリート梁１の長手方向の両側で渡し、ナット５ａにより両鉄板３，４に緊張状態で止め付けている。４本のボルト５は、両鉄板３，４および床スラブ２を貫通して垂下され、その上下端でナット５ａが螺合され、両鉄板３，４が床スラブ２の上面および鉄筋コンクリート梁１の下面に押し付けられる。
【００１８】
貫通孔１ｄが設けられた箇所は、縦方向の４本のボルト５および上下の水平な鉄板３，４によって囲まれた状態となる。上記鉄筋コンクリート梁１は、上記主筋１ｂおよびあばら筋１ｃによる配筋と、コンクリート母材１ａとによって形成されるトラス機構によってせん断力に抵抗する耐力を保有するが、貫通孔１ｄによってトラス機構が途切れる。しかし、床スラブ２の上面および鉄筋コンクリート梁１の下面に配置した鉄板３，４を介してトラス機構による鉄筋コンクリート梁１のコンクリート母材１ａからのせん断力が緊張材としてのボルト５を伝わり、その応力が貫通孔１ｄが設けられた部分を越え、再び鉄筋コンクリート梁１のコンクリート母材１ａに流れる。したがって、貫通孔１ｄが設けられた部分がこれによって強化される。緊張材としてのボルト５は、ナット５ａで鉄板３，４に止め付けられるから、締め付け具合の調整が容易になされる。なお、図示では便宜上ナット５ａをシングルナットとしているが、ダブルナットとしても良い。
【００１９】
図３および図４は第１の発明に係る鉄筋コンクリート梁の貫通孔補強構造の他の実施形態を示す。この実施形態においては、床スラブ２の上面に、緊張力受け部材として鉄板３および４個のコーナブロック６が配され、この各コーナブロック６にねじ固定されかつ鉄板３および床スラブ２を貫きＰＣ鋼棒からなる４本の緊張材７が垂下されている。そしてこの各緊張材７の下端には鉄筋コンクリート梁１の下面側に位置する緊張力受け部材としての下側コーナブロック８がねじ接合されている。この下側コーナブロック８は、鉄筋コンクリート梁１の下端角部に係合する断面Ｌ形の形状とされ、ＰＣ鋼棒からなる４本の横向き連結材９にねじ接合されて相互に連結されている。緊張材７および連結材９は、それぞれ緊張状態で各コーナブロック６，８に螺合・結合され、鉄板３、各コーナブロック６，８、緊張材７および連結材９によって、貫通孔１ｄが設けられた部分が囲まれた状態となる。緊張材７および連結材９は、各コーナブロック６，８を介したねじ固定によって結合されているから、各ねじ部の締付け調整を容易に行うことができる。
【００２０】
この実施形態は、鉄筋コンクリート梁１の下面に上記実施形態のような鉄板４を配しないので、鉄板４を支持して施工すると言う手間が省かれる。この実施形態によると、鉄筋コンクリート梁１の長手方向一方側コンクリート母材１ａからせん断力が入ると、このせん断力が鉄筋コンクリート梁１の下面のコーナブロック８を介し一方側の緊張材７に伝達される。その応力は、連結材９および床スラブ２上の鉄板３および鉄板３上のコーナブロック６によって貫通孔１ｄが設けられた部分を越え、鉄筋コンクリート梁１下面の他方側コーナブロック８を介して他方側緊張材７および鉄筋コンクリート梁１の他方側コンクリート母材１ａへと伝達される。他の構成は上記実施形態と同様であるので、共通部分に同一の符号を付し、ここではその説明を省略する。
【００２１】
図５および図６は、第２の発明に係る鉄筋コンクリート梁の貫通孔補強構造の一実施形態を示している。この実施形態では、鉄筋コンクリート梁１の貫通孔１ｄが設けられた箇所の長手方向の両側で、鉄筋コンクリート梁１の両側面に、鉄筋コンクリート梁１の側面と下面の角に係合する４個の断面Ｌ形の下側コーナブロック８、および鉄筋コンクリート梁１の側面の上部に接する４個の上側コーナブロック１０をそれぞれ設けている。各上側コーナブロック１０と下側コーナブロック８とを４本のＰＣ鋼棒からなる緊張材７によって緊張状態に連結し、鉄筋コンクリート梁１の長手方向に並ぶ上側コーナブロック１０同士、および下側コーナブロック８同士をそれぞれ上下のＰＣ鋼棒からなる梁側面連結材１１，９によって連結している。さらに、鉄筋コンクリート梁１の両側面の下側コーナブロック８同士を鉄筋コンクリート梁１の下面に沿った同様の梁下面連結材１２によって連結すると共に、鉄筋コンクリート梁１の両側面の上側コーナブロック１０同士を鉄筋コンクリート梁１の上部を幅方向に貫通する梁上部連結材１３によって連結している。
【００２２】
この実施形態では、上側コーナブロック１０同士を鉄筋コンクリート梁１の長手方向に連結する上側梁側面連結材１１と、鉄筋コンクリート梁１を貫通して鉄筋コンクリート梁１の幅方向に連結する梁上部連結材１３とが、上記実施形態のスラブ２上面の鉄板３に代る機能を奏する。この鉄筋コンクリート梁１を貫通して鉄筋コンクリート梁１の両側面の上側コーナブロック１０同士を連結する梁上部連結材１３は、鉄筋コンクリート梁１に緊張力を付与し、その摩擦力によって各上側コーナブロック１０と下側コーナブロック８とを緊張状態に連結する緊張材７にせん断力を伝達する。この場合、床スラブ２上での施工作業が不要とされるから、上下階両方での作業がなく、施工作業の効率化が図られる。その他の構成は、上記各実施形態と同様であるから、共通部分に同一の符号を付し、ここでもその説明を省略する。
【００２３】
図７は、第２の発明に係る鉄筋コンクリート梁の貫通孔補強構造の他の実施形態を示している。この実施形態は、図５および図６に示す貫通孔の補強構造において、より強いトラス機構が求められる場合、あるいは、鉄筋コンクリート梁の梁成に対してより大きな径の貫通孔１ｄが求められる場合に好ましく採用されるものである。すなわち、貫通孔１ｄ内に嵌合する鋼管１４を設け、鉄筋コンクリート梁１の両側面に、各コーナブロック８，１０と鋼管１４とを対角方向に連結するターンバックル１５を設けている。各コーナブロック８，１０と鋼管１４の両端突出部とにはターンバックル１５の引っ掛け部（孔やフック等）を設け、ターンバックル１５をこれら引っ掛け部に引っ掛け、その適宜長さ調整により鋼管１４が貫通孔１ｄと同心状態に維持される。これによって、斜め方向にも緊張力を付与することができ、せん断力の伝達が図られ、耐力がより強化され、あるいは、大径の貫通孔１ｄを設けたことによる耐力の低下を防止することができる。その他の構成は、図５，図６に示す実施形態と同様であるので、共通部分に同一の符号を付し、その説明を省略する。
【００２４】
図８に示す実施形態は、図７の実施形態における鋼管１４に代え、貫通孔１ｄの両側の開口縁に沿う鋼製リング１６を設け、鉄筋コンクリート梁１の両側面に、各コーナブロック８，１０と鋼製リング１６とを連結するターンバックル１５を設けたものである。この実施形態においては、上記鋼管１４を設けた場合と同様の効果を奏するが、鋼管１４の場合は、ターンバックル１５を引っ掛けるための引っ掛け部を形成しておく必要があるが、鋼製リング１６の場合、直接引っ掛けることができる。その他の構成は、図５，図６に示す実施形態と同様であるので、共通部分に同一の符号を付し、ここでもその説明を省略する。
【００２５】
図９ないし図１１は、第３の発明に係る鉄筋コンクリート梁の貫通孔補強構造の一実施形態を概念的に示している。この実施形態では、鉄筋コンクリート梁１の両側面において、鉄筋コンクリート梁１に貫通孔１ｄが設けられた箇所の上下の鉄筋コンクリート梁１の長手方向の両側に、ブロック１７を各２個ずつ設け、また、床スラブ２の上面に鉄板１８を配置し、この鉄板１８上に鉄筋コンクリート梁１の幅にほぼ等しい間隔で２個のブロック１９を設けている。さらに、このブロック１９の直下の鉄筋コンクリート梁１の下端角部に断面Ｌ形のコーナブロック２０を係合させ、側面視して、これらブロック１７，１９およびコーナブロック２０を結ぶ線は、貫通孔１ｄを中心としてこれを取囲むひし形状をなす。
【００２６】
各鉄筋コンクリート梁１の側面で隣合うブロック１７，１９およびコーナブロック２０同士はＰＣ鋼棒からなる緊張材２１によって緊張状態で連結されている。この内、ブロック１７とブロック１９とを連結する緊張材２１は、床スラブ２および鉄板１８を貫通している。また、鉄筋コンクリート梁１の幅方向に隣合うブロック１７同士は、鉄筋コンクリート梁１を幅方向に貫通するＰＣ鋼棒からなる連結材２２によって相互に連結されている。さらに、鉄筋コンクリート梁１の幅方向に隣合うコーナブロック２０同士は、鉄筋コンクリート梁１の下面に沿ったＰＣ鋼棒からなる連結材２３によって相互に連結されている。ブロック１７，１９およびコーナブロック２０と緊張材２１，２２，２３との連結はねじ接合によってなされ、その締め付け具合の調整が可能とされている。
【００２７】
この実施形態においては、上記と同様に貫通孔１ｄが設けられた部分の補強がなされると共に、図１１で示すように、貫通孔１ｄから発生するひび割れ１ｅに対し、緊張材１２による白抜矢示方向の圧縮力が、ひび割れ１ｅを閉じる方向に作用し、ひび割れ１ｅの進行が抑えられる。これによって、ひび割れ防止により一層寄与する。
【００２８】
図１２は、第４の発明に係る鉄筋コンクリート梁の貫通孔補強構造の一実施形態を概念的に示している。この実施形態では、鉄筋コンクリート梁１の貫通孔１ｄが設けられた箇所の長手方向の両側で、前記鉄筋コンクリート梁１の両側面に沿ってそれぞれ上下に延びる合計４本のＰＣ鋼棒からなる緊張材２４を設け、これら緊張材２４を、鉄筋コンクリート梁１の上面に構築された床スラブ２の上面に配置した鉄板２５、および鉄筋コンクリート梁１の両側面下端近傍に配置したブロック２６間に渡して緊張状態に設けている。これら緊張材２４の上端部は、床スラブ２および鉄板２５を貫通し、鉄板２５の上面においてナット２４ａで止め付けられている。
【００２９】
鉄筋コンクリート梁１の長手方向に沿って隣合うブロック２６は鉄筋コンクリート梁１の側面に沿ったＰＣ鋼棒からなる連結材２７で相互に連結され、また、鉄筋コンクリート梁１の幅方向に隣合うブロック２６は鉄筋コンクリート梁１を幅方向に貫通するＰＣ鋼棒からなる連結材２８で相互に連結され、この鉄筋コンクリート梁１の長手方向および幅方向の隣合うブロック２６の連結材２７，２８による連結関係を、貫通孔１ｄが設けられた箇所を挟んで鉄筋コンクリート梁１の長手方向に複数繰返すよう設けている。ブロック２６を介した緊張材２４および連結材２７，２８の連結は、ねじ固定によってなされ、上記ナット２４ａと共に締め付度合いの調整が可能とされている。
【００３０】
この実施形態では、貫通孔１ｄが設けられた箇所は、上記実施形態と同様、床スラブ２の上面の鉄板２５、４本の緊張材２４，ブロック２６を介した連結材２７，２８によって囲まれ、鉄筋コンクリート梁１のコンクリート母材１ａからのせん断力が鉄筋コンクリート梁１の長手方向に沿って伝達され、上記と同様に貫通孔１ｄが設けられた部分が補強される。この実施形態では、特に、鉄筋コンクリート梁１の下端近傍において、その長手方向および幅方向の隣合うブロック２６の連結材２７，２８による連結関係を、貫通孔１ｄが設けられた箇所を挟んで鉄筋コンクリート梁１の長手方向に複数繰返すよう設けたことにより、鉄筋コンクリート梁１の曲げ強度が強化され、撓みの改善もなされ、上記各実施形態と共に好ましく採用される。
【００３１】
なお、図９ないし図１１および図１２に示す実施形態において、鉄筋コンクリート梁１の配筋についての図示は省略したが、上記同様の配筋その他の配筋構造がこれら実施形態においても適用されることは言うまでもない。また、図１２に示す実施形態において、床スラブ２の上面の鉄板２５に緊張材２４を止め付ける手段は、ナット２４ａによるものに限らず、図３，図４に示すようなコーナブロック６によるものであっても良い。
【図面の簡単な説明】
【００３２】
【図１】第１の発明に係る鉄筋コンクリート梁の一実施形態を示す部分切欠斜視図である。
【図２】図１におけるII線方向矢視断面図である。
【図３】第１の発明の他の実施形態を示す部分切欠斜視図である。
【図４】同実施形態の図２と同様図である。
【図５】第２の発明に係る鉄筋コンクリート梁の一実施形態を示す部分切欠斜視図である。
【図６】同実施形態の図２と同様図である。
【図７】第２の発明の他の実施形態を示す部分切欠斜視図である。
【図８】第２の発明のさらに他の実施形態を示す部分切欠斜視図である。
【図９】第３の発明に係る鉄筋コンクリート梁の一実施形態を概念的に示す部分切欠斜視図である。
【図１０】同実施形態を別方向から見た概念的部分切欠斜視図である。
【図１１】同実施形態における作用の説明図である。
【図１２】第４の発明に係る鉄筋コンクリート梁の一実施形態を概念的に示す部分切欠斜視図である。
【符号の説明】
【００３３】
１…鉄筋コンクリート梁
１ｄ…貫通孔
２…床スラブ
３…鉄板（緊張力受け部材）
４…鉄板（緊張力受け部材）
５…ボルト（緊張材）
５ａ…ナット
６…コーナブロック（緊張力受け部材）
７…緊張材
８…コーナブロック（緊張力受け部材）
９…連結材（梁側面連結材）
１０…上側コーナブロック
１１…梁側面連結材
１２…梁下面連結材
１３…梁上部連結材
１４…鋼管
１５…ターンバックル
１６…鋼製リング
１７…ブロック
１９…ブロック
２０…コーナブロック
２１…緊張材
２２…連結材
２３…連結材
２４…緊張材
２５…鉄板
２６…ブロック
２７，２８…連結材
【図１】
2007315005.tif 000003
【図２】
2007315005.tif 000004
【図３】
2007315005.tif 000005
【図４】
2007315005.tif 000006
【図５】
2007315005.tif 000007
【図６】
2007315005.tif 000008
【図７】
2007315005.tif 000009
【図８】
2007315005.tif 000010
【図９】
2007315005.tif 000011
【図１０】
2007315005.tif 000012
【図１１】
2007315005.tif 000013
【図１２】
2007315005.tif 000014